(57)【要約】  【課題】  風量の表示領域の拡大とセグメント数の増加を抑えながらも風量設定数の増加に対応することができる空気調和機のリモコンを提供する。【解決手段】  複数のセグメントの点灯するセグメントを増減させて風量の大きさを示す第一セグメント群と第一セグメント群に付加して点灯し、第一セグメント群が示す各風量の大きさを基準としてその風量の大きさの増加または減少を示す第二セグメント群とを備える。また、前記第一セグメント群の表示パターン毎に、前記第一セグメント群が示す風量の増減に対応して前記第二セグメント群の各セグメントを点灯または消灯させる。【選択図】図３
2015179916.tif 000002
【特許請求の範囲】
【請求項１】
空気調和機から吹出す風量を表示するリモートコントローラの風量表示領域に、複数のセグメントを有し、前記複数のセグメントを点灯する数で風量の大きさを示す第一セグメント群と、前記第一セグメント群に付加して点灯し、前記第一セグメント群が示す各風量の大きさを基準としてその風量の大きさの増加または減少を示す第二セグメントまたは第二セグメント群とを備えることを特徴とするリモートコントローラ。
【発明の詳細な説明】
【技術分野】
【０００１】
本発明は、空気調和機から吹出す風量を表示するリモートコントローラに関する。
【背景技術】
【０００２】
従来、空気調和機を操作するリモートコントローラ（以下、リモコンという）には、操作情報を表示する表示部に複数の図形のセグメントを備えて、点灯させるセグメント数を増減させるなどして風量の強弱を表示するものがあり、利用者は風量や風量の変化を数字や文字で表示するものよりも視覚的に捉えることができるため、視認性の向上に役立てられている。
【０００３】
この種の表示を行うものとして、風量や音量等の「量」や「強さ」を表示するレベル表示装置を用いたリモコンが開示されている。（例えば、特許文献１参照）。
【先行技術文献】
【特許文献】
【０００４】
【特許文献１】特開２０１２−１５０２９７号公報（第６頁、図５）
【発明の概要】
【発明が解決しようとする課題】
【０００５】
特許文献１のリモコンによれば、表示領域に点灯させたパターン画像の増減を用いて空気調和機の風量を表しているため視認性が高い。しかし空気調和機の技術向上などにより風量の設定数が増加しており、パターン画像やセグメントの数を増加させるだけでは風量の表示領域が拡大し、他の操作情報の表示領域などを圧迫するという問題がある。
【０００６】
本発明は以上述べた問題点を解決し、風量設定数の増加に対応するとともに風量関連の表示領域の増加を抑制することができる空気調和機のリモコンを提供することを目的とする。
【課題を解決するための手段】
【０００７】
本発明は上述の課題を解決するため、本発明の請求項１に記載の発明は、空気調和機から吹出す風量を表示するリモートコントローラの風量表示領域に、複数のセグメントを有し、前記複数のセグメントを点灯する数で風量の大きさを示す第一セグメント群と、前記第一セグメント群に付加して点灯し、前記第一セグメント群が示す各風量の大きさを基準としてその風量の大きさの増加または減少を示す第二セグメントまたは第二セグメント群とを備えることを特徴とする。
【発明の効果】
【０００８】
以上の手段を用いることにより、本発明による空気調和機のリモコンによれば、セグメント数や表示領域の増加を抑えながら風量設定数の大幅な増加に対応して風量の状態を表示することができる。
【図面の簡単な説明】
【０００９】
【図１】本発明による空気調和機のリモコンの正面図である。
【図２】本発明による実施例１の風量表示状態の遷移を示す説明図である。
【図３】本発明による実施例２の風量表示状態の遷移を示す説明図である。
【発明を実施するための形態】
【００１０】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１１】
図１は、本発明による空気調和機のリモコンの正面図である。リモコン１は上部に空気調和機の運転状態などを表示するセグメント式の表示部２と、その下方に空気調和機の運転状態などを設定する操作ボタン群３０が配置され、表示部２の中央右側には風量を表示する風量表示領域４が配置され、操作ボタン群３０には風量を設定する風量操作ボタン３が配置されている。
【００１２】
風量表示領域４の詳細について図１のリモコン１の右側に示す拡大図で説明する。風量表示領域４は左側に図形を示す複数のセグメントが配列された第一セグメント群１０と、第一セグメント群１０の右側に配置された記号のセグメントで構成される第二セグメント群２０を備えている。
【００１３】
第一セグメント群１０は、下から（Ａ）セグメント１１と、（Ｂ）セグメント１２と、（Ｃ）セグメント１３と、（Ｄ）セグメント１４を有し、風量の大きさに合わせて点灯させるセグメントを最下段の（Ａ）セグメント１１から上に向かって順番に１セグメントずつ増加させることで風量の大きさを示す。
【００１４】
第二セグメント群２０は、前記第一セグメント群が示す各風量の大きさに付加され第一セグメント群１０が示す各風量の大きさを基準としてその風量の大きさの増減を示しており、下から第一セグメント群１０が示す風量の大きさよりも少ない風量を示す（−）セグメント２１と、第一セグメント群１０が示す風量の大きさよりも多い風量を示す（＋）セグメント２２を有する、これにより第一セグメント群１０のみ点灯している状態の各風量の大きさの間に（−）セグメント２１と（＋）セグメント２２とをそれぞれを点灯させた２段階の風量の大きさを表示することができる。
【００１５】
本発明は、図１で説明した４つのセグメントで４段階の風量の大きさを示す第一セグメント群１０に記号の第二セグメント群２０を組み合わせて点灯させることで、リモコン１の風量表示領域４に表示することができる風量の段階数を、第一セグメント群１０と第二セグメント群２０を足した数よりも増加させることができる。
【００１６】
なお、第一セグメント群１０のセグメントの数や形状、第二セグメント群２０のセグメント数や記号、数値、あるいは文字などの種類についてはこれに限るものではない。
【実施例１】
【００１７】
図２は、本発明によるリモコンの風量表示領域における風量表示状態の遷移を示す説明図である。図２を用いて４つのセグメントの増減のみで風量を表す従来の４段階から新たに８段階の風量の表示とした場合の第一セグメント群１０と第二セグメント群２０の（＋）セグメント２２との点灯パターンを説明する。説明を開始する前提条件として、空気調和機が予め最小の風量で運転しているものとする。なお、各風量表示状態の上部に示す「段階数」とこれに続く数値はその数値が大きいほど風量が大きいことを示す風量の段階数であり、段階数の増加はその都度、図１で説明した風量操作ボタン３が操作されたものとする。
【００１８】
リモコン１は、風量が最小であることを示す段階数１の状態である場合に第一セグメント群１０の（Ａ）セグメント１１のみ点灯させて風量を表示する。２番目に小さい風量である段階数２の風量を第一セグメント群１０の（Ａ）セグメント１１と第二セグメント群２０の（＋）セグメント２２を点灯させて表示する。
【００１９】
続いてリモコン１は、段階数３の風量を第一セグメント群１０の（Ａ）セグメント１１と、（Ｂ）セグメント１２のみ点灯させて表示する。段階数４の風量を第一セグメント群１０の（Ａ）セグメント１１と、（Ｂ）セグメント１２と、第二セグメント群２０の（＋）セグメント２２を点灯させて表示する。
【００２０】
上記の段階数１から２と、段階数３から４の風量の表示で説明したように、第一セグメント群１０のセグメントの点灯数を増加させる毎に、第二セグメント群２０を同じ順序で点灯または消灯させ続く第一セグメント群１０の（Ｃ）セグメント１３までを点灯させた段階数５から段階数６の風量と、（Ｄ）セグメント１４までを点灯させた段階数７から最大の風量である段階数８の風量を表示する。
【００２１】
このように風量表示領域４の点灯パターンを規則的に遷移させることにより、利用者は第一セグメント群１０のみ点灯した後にその第一セグメント群１０に付加して点灯する（＋）セグメント２２が、第一セグメント群１０の示す各風量の大きさよりも多い風量であることを正確に把握することができる。
【実施例２】
【００２２】
図３は、本発明によるリモコンの風量表示領域における風量表示状態の遷移を示す説明図である。図３を用いて４つのセグメントの増減のみで風量を表す従来の４段階から新たに１２段階の風量の表示とした場合の第一セグメント群１０と第二セグメント群２０の点灯パターンを説明する。説明を開始する前提条件と各風量表示状態の上部に示す段階数及びその段階数の増加については図２と同様である。
【００２３】
リモコン１は、風量が最小であることを示す段階数１の状態である場合に第一セグメント群１０の（Ａ）セグメント１１と第二セグメント群２０の（−）セグメント２１を点灯させて風量を表示する。２番目に小さい風量である段階数２の風量を第一セグメント群１０の（Ａ）セグメント１１のみ点灯させて表示する。３番目に小さい風量である段階数３の風量を第一セグメント群１０の（Ａ）セグメント１１と第二セグメント群２０の（＋）セグメント２２を点灯させて表示する。
【００２４】
続いてリモコン１は、段階数４の風量を第一セグメント群１０の（Ａ）セグメント１１と、（Ｂ）セグメント１２と、第二セグメント群２０の（−）セグメント２１を点灯させて表示する。段階数５の風量を第一セグメント群１０の（Ａ）セグメント１１と、（Ｂ）セグメント１２のみ点灯させて表示する。段階数６の風量を第一セグメント群１０の（Ａ）セグメント１１と、（Ｂ）セグメント１２と、第二セグメント群２０の（＋）セグメント２２を点灯させて表示する。
【００２５】
上記の段階数１から３と、段階数４から６の風量の表示で説明したように、第一セグメント群１０のセグメントの点灯数を増加させる毎に、第二セグメント群２０を同じ順序で点灯または消灯させ続く第一セグメント群１０の（Ｃ）セグメント１３までを点灯させた段階数７から段階数９の風量と、（Ｄ）セグメント１４までを点灯させた段階数１０から最大の風量である段階数１２の風量を表示する。
【００２６】
このように風量表示領域４の点灯パターンを規則的に遷移させることにより、利用者は第一セグメント群１０のみ点灯する前にその第一セグメント群１０に付加して点灯する（−）セグメント２１が、第一セグメント群１０の示す各風量の大きさよりも少ない風量であり、第一セグメント群１０のみ点灯した後にその第一セグメント群１０に付加して点灯する（＋）セグメント２２が、第一セグメント群１０の示す各風量の大きさよりも多い風量であることを正確に把握することができる。
【００２７】
なお、図２で説明した、最大の風量である段階数８の風量から再び風量操作ボタン３が操作された場合と、図３で説明した、最大の風量である段階数１２の風量から再び風量操作ボタン３が操作された場合には、それぞれ段階数１の表示パターンへと戻って再びそれぞれのサイクルを繰り返す。また風量を自動で変更することができる空気調和機の場合には、例えば、風量表示領域４の全てのセグメントを消灯して、図１の風量表示領域４の上部に隣接する「風量自動」のセグメントを点灯させるなどの風量の表示状態を、最大の風量と最小の風量の間に加えて遷移させてもよい。
【符号の説明】
【００２８】
１  リモコン 
２  表示部
３  風量操作ボタン
４  風量表示領域
１０  第一セグメント群
１１  （Ａ）セグメント
１２  （Ｂ）セグメント
１３  （Ｃ）セグメント
１４  （Ｄ）セグメント
２０  第二セグメント群
２１  （−）セグメント
２２  （＋）セグメント
３０  操作ボタン群
【図１】
2015179916.tif 000003
【図２】
2015179916.tif 000004
【図３】
2015179916.tif 000005